(57)【要約】  指定された経路に沿ってパケットを送信する電力コストを決定する方法および装置が提供される。特定のタイプのＯＡＭパケットが、第１のノードによって経路に沿って送信され、経路に沿った各ノードは、パケットを送信するその電力コストをＯＡＭパケットに追加する。経路の終端に到達すると、ＯＡＭパケットは第１のノードに返され、そこで全体的な経路の電力コストが決定され、経路に関連づけて格納される。
2015524206.tif 000002
【特許請求の範囲】
【請求項１】
第１のノードにおいて、経路の電力コストが決定待ちであることを示すパケットタイプをもつ第１のパケットを生成するステップと、
第１のパケットを送信するステップと、
第１のノードにおいて、第１のパケットに対する返信として第２のパケットを受信するステップと、
第２のパケットのデータ部から経路の電力コストを決定するステップと
を含む、方法。
【請求項２】
経路の定義を、第１のパケットのデータ部の中に、経路に沿って存在する一連のＩＰアドレスとして含めるステップをさらに含む、請求項１に記載の方法。
【請求項３】
第１のノードにおいて、第１のパケットの宛先アドレスを、経路に沿った次のノードのアドレスとして設定するステップと、
第１のノードから次のノードにパケットを送信する電力コストを決定するステップと、
第１のノードから次のノードにパケットを送信する電力コストを第１のパケットのデータ部の中に含めるステップと
をさらに含む、請求項１に記載の方法。
【請求項４】
経路がダウンロード経路であり、方法が、第１のノードにおいて、第１のパケットの宛先アドレスを経路が開始する第２のノードのアドレスとして設定するステップをさらに含む、請求項１に記載の方法。
【請求項５】
帯域幅を第１のパケットのデータ部に含めるステップをさらに含む、請求項１に記載の方法。
【請求項６】
第１のノードにおいて、第１のノードのアドレスである宛先アドレスを含むパケットを処理する方法であって、
パケットのパケットタイプが、経路の電力コストが決定待ちであることを示すかどうかを判定するステップと、
パケットが、経路の電力コストが決定待ちであることを示すパケットタイプをもつ場合に、
経路内の次のノードが存在するかどうかを判定するステップと、
経路内の次のノードが存在する場合、パケットを受信し、スイッチング／ルーティングし、第１のノードから次のノードに送信する電力コストを決定するステップ、電力コストを第１のパケットのデータ部に含めるステップ、パケットの宛先アドレスを次のノードのアドレスに設定するステップ、およびパケットを次のノードに送信するステップと
経路内の次のノードが存在しない場合、パケットのパケットタイプを、経路の電力コスト決定の要求に対する返信を示すように設定するステップ、パケットの宛先アドレスを、パケットを発生させた第２のノードのアドレスに設定するステップ、およびパケットを第２のノードに送信するステップと
を含む、方法。
【請求項７】
パケットを受信し、スイッチング／ルーティングし、送信する電力コストを決定するステップが、パケットを受信し、スイッチング／ルーティングし、パケットのデータ部の中に指定されている帯域幅で送信する電力コストを決定するステップを含む、請求項８に記載の方法。
【請求項８】
経路の電力コストが決定待ちであることを示すパケットタイプをもつ第１のパケットを生成し、第１のパケットを送信し、第１のパケットに対する返信として第２のパケットを受信し、第２のパケットのデータ部から経路の電力コストを決定するように構成された送信元ノードと、
受信されたパケットのパケットタイプが、経路の電力コストが決定待ちであることを示すかどうかを判定し、かかるパケットのパケットタイプを、パケットが経路の電力コスト決定の要求に対する返信であることを示すように設定し、かかるパケットを送信元ノードに送信するように構成された経路の宛先ノードと
を備える、システム。
【請求項９】
経路に沿った少なくとも１つの中間ノードをさらに含み、かかるそれぞれの中間ノードが、中間ノードにおいて受け取られるパケットのパケットタイプが、経路の電力コストが決定待ちであることを示すかどうかを判定し、パケットを受信し、スイッチング／ルーティングし、中間ノードから経路内の次のノードに送信する電力コストを決定し、受信されたパケットのデータ部を、中間ノードから次のノードにパケットを送信する電力コストを含めるように調整し、受信されたパケットを次のノードに転送するように構成された、請求項８に記載のシステム。
【請求項１０】
パケットを受信し、スイッチング／ルーティングし、中間ノードから次のノードに送信する電力コストを決定するように構成することが、パケットを受信し、スイッチング／ルーティングし、受信されたパケットのデータ部の中に指定されている帯域幅で送信する電力コストを決定するように構成することを含む、請求項９に記載のシステム。
【発明の詳細な説明】
【技術分野】
【０００１】
本発明は、電気通信ネットワークにおける各地点間の電力コストの決定に関する。
【背景技術】
【０００２】
エネルギーコストおよび環境への影響がビジネスモデルにおいて重要性を増しつつあるため、エネルギーや電力消費はますますビジネス上の重大な問題になりつつある。同時に、エネルギーを提供するコストは変動することがある。こちらは、電力会社がピークエネルギーの需要を低減することによって有限のエネルギー生成に対処しようとするため、より一般的になりつつある。エネルギーのコストは時間および／または地理に応じて変動し得る。たとえば、夜遅くの電気需要は日中よりも小さいことが多く、電力会社は電気の消費をピーク外の時間に移そうと、夜間の電気コストを下げ、昼間の電気コストを上げることもあり得る。
【０００３】
さらに、環境上または財政上の理由で、エネルギーコストが上昇するか、または電力使用量がより重要になるにつれて、電気通信ネットワークを介したパケット送信に関連するエネルギーコストは、データ送信に対する課金の主要な方法となり得る。
【発明の概要】
【発明が解決しようとする課題】
【０００４】
電気通信ノードが宛先までの各ルートの電力コストを学習できるようにする方法であれば、送信中のコストまたは電力使用量を最小限にするためなど、ノードがネットワーク全体での電力使用量を考慮に入れる必要がある場合に、ノードが特定のルートを選択できるようになろう。この方法ではまた、料金が電力消費量に基づくデータ送信に対する料金を事業者が提示できるようにもなろう。
【課題を解決するための手段】
【０００５】
一態様によれば、経路の電力コストが決定待ちであることを示すパケットタイプをもつ第１のパケットが第１のノードにおいて生成される方法が提供される。第１のパケットが送信される。第１のパケットに対する返信として第２のパケットが第１のノードにおいて受信される。第１のノードにおいて、経路の電力コストが第２のパケットのデータ部から決定される。
【０００６】
別の態様によれば、第１のノードにおいて、第１のノードのアドレスである宛先アドレスを含むパケットを処理する方法が提供される。パケットのパケットタイプが、経路の電力コストが決定待ちであることを示すかどうかが判定される。決定待ちである場合に、経路内の次のノードが存在するかどうかが判定される。経路内の次のノードが存在する場合、第１のノードから次のノードにパケットを送信する電力コストが決定され、電力コストが第１のパケットのデータ部に含められ、パケットの宛先アドレスが次のノードのアドレスに設定され、パケットが次のノードに送信される。経路内の次のノードが存在しない場合、パケットのパケットタイプは、経路の電力コスト決定の要求に対する返信を示すように設定され、パケットの宛先アドレスは、パケットを発生させた第２のノードのアドレスに設定され、パケットは第２のノードに送信される。
【０００７】
別の態様によれば、経路についての送信元ノードおよび宛先ノードを有するシステムが提供される。送信元ノードは、経路の電力コストが決定待ちであることを示すパケットタイプをもつ第１のパケットを生成し、第１のパケットを送信し、第１のパケットに対する返信として第２のパケットを受信し、第２のパケットのデータ部から経路の電力コストを決定するように構成されている。宛先ノードは、受信されたパケットのパケットタイプが、経路の電力コストが決定待ちであることを示すかどうかを判定し、かかるパケットのパケットタイプを、パケットが経路の電力コスト決定の要求に対する返信であることを示すように設定し、かかるパケットを送信元ノードに送信するように構成されている。システムはまた、経路に沿った１つまたは複数の中間ノードを含み得る。かかるそれぞれの中間ノードは、中間ノードにおいて受け取られるパケットのパケットタイプが、経路の電力コストが決定待ちであることを示すかどうかを判定し、中間ノードから経路内の次のノードにパケットを送信する電力コストを決定し、受信されたパケットのデータ部を、中間ノードから次のノードにパケットを送信する電力コストを含めるように調整し、受信されたパケットを次のノードに転送するように構成されている。
【０００８】
本発明の実施形態の方法は、論理演算命令として、一時的でない（ｎｏｎ−ｔｒａｎｓｉｔｏｒｙ）コンピュータ可読記憶媒体に、コンピュータプロセッサによって実行可能な形で記憶されていてもよい。
【０００９】
本発明の実施形態は、経路に沿った各ホップの電力コスト情報をＯＡＭパケットの中に埋め込むことによって、指定された経路に沿ってパケットを送信する電力コストの決定を可能にする。
【００１０】
本発明の実施形態の特徴および利点は、添付の図面を参照しながら以下の「発明を実施するための形態」から明らかになろう。
【図面の簡単な説明】
【００１１】
【図１】電気通信ネットワークの一部分を示す図である。
【図２】本発明の一実施形態による、図１の起点ノードによって実施される方法のフローチャートである。
【図３】本発明の一実施形態による、図１の中間ノードまたは宛先ノードによって実施される方法のフローチャートである。
【図４】本発明の一実施形態による、図１の起点ノードによって実施される別の方法のフローチャートである。
【発明を実施するための形態】
【００１２】
添付の図面において、同様の特徴には類似のラベルが付いていることに留意されたい。
【００１３】
図１を参照すると、電気通信ネットワークの一部分が示されている。送信元ノード１０は、第１のインターフェースによって、第１のリンク１４を介して第１の中間ノード１２に接続されている。第１の中間ノード１２は、第２のリンク１８を介して宛先ノード１６に接続されている。送信元ノード１０はまた、第２のインターフェースによって、第３のリンク２２を介して第２の中間ノード２０に接続され、第２の中間ノード２０は、第４のリンク２４を介して宛先ノード１６に接続されている。第１のリンク１４と、第１の中間ノード１２と、第２のリンク１８とは、一緒になって送信元ノード１０から宛先ノード１６への第１の経路３０を形成する。第３のリンク２２と、第２の中間ノード２０と、第４のリンク２４とは、一緒になって送信元ノード１０から宛先ノード１６への第２の経路３２を形成する。
【００１４】
図１に示されたネットワークは、送信元ノードと宛先ノードの間に２つだけの中間ノードと、２つだけの経路とを含む。より一般には、少なくとも１つが送信元ノードに接続された２つ以上の中間ノードと、送信元ノードから宛先ノードへの少なくとも２つの経路とが存在する。各ノードは、ルータなどの、電気通信ネットワーク内の任意のタイプのネットワーク要素であり得る。
【００１５】
最も単純な場合では、中間ノードがなく、送信元ノードと宛先ノードの間に経路が１つしかないことに留意されたい。以下で述べられる実施形態は、そのようなシンプルなネットワークでも機能するが、本発明の実施形態は、図１に示されたネットワークを参照して説明される。
【００１６】
概略を述べると、送信元ノードは、経路の電力コストが決定待ちであることを示すパケットタイプをもつ第１のパケットを生成する。パケットは経路に沿ってノードからノードへ送信され、各ノードは、パケットのデータ部に、パケットを受信し、スイッチング／ルーティングし、経路内の次のノードに送信する（本明細書では「転送する」とも総称される）電力コストを含める。宛先ノードに到達すると、パケットが経路の電力コスト決定の要求に対する返信であることを示すパケットタイプをもつ第２のパケットが宛先ノードによって生成され、第１のパケットのデータ部は第２のパケットのデータ部にコピーされる。第２のパケットは、送信元ノードへ戻るように送信され、送信元ノードが第２のパケットを受信したとき、経路の電力コストが第２のノードのデータ部から決定される。これは、図１における第１の経路３０およびＩＰルーティングを一例として使用して説明される。
【００１７】
図２を参照すると、本発明の一実施形態による、送信元ノード１０によって実施される方法のフローチャートが示されている。方法は、経路の電力コストが決定待ちであると送信元ノード１０が判定するたびに実行される。これは、たとえば１０秒ごとなど、規則的な間隔であってもよい。パケットをたびたび送信することは、ノードによって使用される電力が変化し得るので望ましい。これは、新たな経路または新たな機器が利用可能になる場合などに、割り込みによっても行われ得る。
【００１８】
ステップ４０において、送信元ノード１０は、ＯＡＭ電力要求パケットと呼ばれるパケットを生成する。送信元ノードは、パケットタイプを特定の値に設定することによって、新たなパケットがＯＡＭ電力要求パケットであることを指定する。送信元ノード１０は、ＯＡＭ電力要求パケットの送信元アドレスフィールドに、送信元ノード１０のアドレスを入れる。送信元ノード１０は、ＯＡＭ電力要求パケットの宛先アドレスフィールドに、送信元ノード１０が電力コストを知りたい経路における次のホップのアドレスを入れる。経路３０の例では、これは第１の中間ノード１２のアドレスである。
【００１９】
ＯＡＭ電力要求パケットのデータ部の中に、送信元ノード１０は完全な経路を識別する情報を埋め込む。これは、経路におけるノードのアドレスリストである。経路３０の例では、これは、中間ノード１２のアドレスと宛先ノード１６のアドレスである。
【００２０】
最後に、送信元ノード１０は、経路を開始するインターフェースによってパケットを送信する際の送信元ノード自体の電力コストをＯＡＭ電力要求パケットのデータ部に付加する。第１の経路３０の例では、これは、第１のリンク１４につながったインターフェースによってパケットを送信する電力コストとなる。送信元ノード１０によって入力される電力コストは、後述するように中間ノードによって入力される電力コストとともに、いずれの単位でもよい。たとえば、電力コストは、＄／ＧＢなど、パケットの送信に必要な電力の金銭的コストとして表現されてもよい。別の例として、電力コストは、ワット／ＧＢ／秒など、パケットの送信に必要な電力使用量として表現されてもよい。この例において金銭的コストが所望される場合、送信元ノードは、経路の全体的な電力使用量とともに電気代を使用して全体的な金銭的コストを決定することができるが、これは電気コストが中間ノードの地理的な位置に応じて変動する場合に、（不可能ではないが）より困難になり得る。
【００２１】
ステップ４２において、送信元ノード１０は、電力コスト情報が所望される経路につながったインターフェースによってＯＡＭ電力要求パケットを送信する。ステップ４４において、送信元ノード１０は待機モードに入り、返信を待つパケット送信についての通常の手順が実施される。
【００２２】
図３を参照すると、本発明の一実施形態による、任意のノードによって実施される方法のフローチャートが示されている。この方法はすべてのノードで実施され得るが、図１に示されたネットワークにおいては、中間ノード１２および２０ならびに宛先ノード１６によって実行されるのみである。
【００２３】
パケットがノードにおいて受信されたとき、パケットの宛先アドレスがノードのアドレスに一致するとノードが判定した場合、パケットの内容が抽出される。パケットのパケットタイプからパケットがＯＡＭ電力要求パケットであると識別される場合、図３を参照しながら説明される方法がステップ５０において起動される。
【００２４】
ステップ５２において、ノードは、存在すれば、経路に沿った次のホップを決定する。これを決定する１つの方法は、パケットに埋め込まれたアドレスのリストを参照することである。リスト内でそのノードのアドレスに続くアドレスが決定される。次のアドレスが存在しない、すなわち、リストにおける最後のアドレスがそのノードのアドレスである場合、これも、次のアドレスをＮＵＬＬに設定することなどにより、ノードによって通知される。
【００２５】
ノードは、ステップ５３において、これ以上のノードが経路内に存在するかどうかを判定し、これは、次のアドレスがステップ５２において発見されたかどうかによって示される。次のアドレスが存在する場合、ステップ５４において、ノードは、パケットを受信し、スイッチング／ルーティングし、そのアドレスにつながったインターフェースに送信する電力コストを、パケットに既に含まれる電力コストに追加する。このように、パケットに含まれる電力コストは、経路に沿ったパケット送信のここまでの累積電力コストである。
【００２６】
ノードは、任意の方法でパケットを受信し、スイッチング／ルーティングし、送信する自らの電力コストを知っている。一例として、ノードは、経路に沿ったパケットが受信されることになるラインカードの最大電力消費および最大帯域幅、スイッチング／ルーティング／パケット処理機能の最大電力消費および最大帯域幅、経路に沿ったパケットが送信されることになるラインカードの最大電力消費および最大帯域幅、ならびにノードの位置および現在時間における電力の金銭的コストを知っている。これらのうちの最初の３つは、使用する特定のハードウェアおよび供給業者に応じて変動し、金銭的コストは、送信元の電力供給および１日のうちの時間帯に応じて変動し得る。この情報を使用して、ノードは、パケットを受信し、スイッチング／ルーティングし、送信する電力コストを算出することができ、電力コストをＯＡＭ電力要求パケットに挿入する。
【００２７】
ノードは、異なる数の複数のスイッチング／ルーティング／パケット処理シナリオを使用することもでき、用語「スイッチング／ルーティング」は、ノードによって実施されるパケットに対する任意の処理を含み得ることに留意されたい。たとえば、ノードは、パケットの暗号化／復号を実施することも、ディープパケットインスペクションを行うこともできる。
【００２８】
ステップ５６において、ノードはパケットを再カプセル化し、パケットの宛先アドレスを、ステップ５２において決定された次のノードのアドレスに設定する。ステップ５８において、ノードはパケットを次のノードに送信する。
【００２９】
ノードが、ステップ５３において、次のノードが存在しないと判定した場合、現在のノードが宛先ノードである。この時点で、パケットに含まれる電力コストは、経路に沿ったパケット送信の累積電力コストである。
【００３０】
ステップ６２において、ノードはパケットを再カプセル化するが、パケットタイプを、パケットがＯＡＭ電力返信パケットであることを示すように設定し、このパケットはＯＡＭ電力要求メッセージに対する返信である。ノードは、宛先アドレスを送信元ノード１０のアドレスに設定し、これはステップ５０において受信されたパケットの送信元アドレスであるため、宛先ノード１６はこのアドレスを知っている。ステップ６４において、ノードはパケットを送信する。
【００３１】
送信元ノード１０に戻る途中、ＯＡＭ電力返信パケットは、抽出または処理されることなく各ホップを通過させられる。ＯＡＭ電力返信パケットが辿る戻りの経路は、ＯＡＭ電力返信パケットの宛先アドレスが送信元ノード１０のものしかないので、ＩＰ転送が使用される場合など、電力コストが決定されようとしている同じ経路である必要はない。ＯＡＭ電力返信パケットは最終的に送信元ノード１０に到達し、そこで送信元ノード１０によって処理される。図４を参照すると、本発明の一実施形態による、送信元ノードによって実施される第２の方法のフローチャートが示されている。
【００３２】
パケットがノードにおいて受信されたとき、パケットの宛先アドレスがノードのアドレスに一致するとノードが判定した場合、パケットの内容が抽出される。パケットのパケットタイプからパケットがＯＡＭ電力返信パケットであると識別される場合、図４を参照しながら説明される方法がステップ８０において起動される。ステップ８２において、この例では送信元ノード１０であるノードは、パケットのデータ部から、パケットのデータ部に含まれるノードアドレスのリストによって規定される経路を決定する。ステップ８４において、ノードは、パケットのデータ部に含まれる経路の電力コストを決定する。ステップ８６において、ノードは、経路の電力コストを経路に関連づけて格納する。
【００３３】
上記の方法は、好ましくは、論理演算命令としてソフトウェアの形態で実装される。あるいは、論理演算命令のそれぞれまたはすべては、ハードウェアとして、またはソフトウェアもしくはハードウェアの組み合わせとして実装されてもよい。ソフトウェアの形態の場合、論理演算命令は、一時的でないコンピュータ可読記憶媒体に、コンピュータプロセッサによって実行可能な形態で格納されてもよい。
【００３４】
本発明の実施形態は、一例としてＩＰ転送を使用して説明されてきた。各ノードが経路の自らの部分に対応する電力コストを途中で追加する経路に沿ってＯＡＭ電力要求パケットが移動する限り、経路を事前に規定する他の手段が使用されてもよい。たとえば、ＭＰＬＳがパケットの転送に使用される場合、送信元ノード１０は、対象の経路に沿った各ノードにラベルを送達してもよく、それにより、パケットがその特定の経路に沿って転送され、その際にＴＴＬ満了を使用して、ＯＡＭ電力要求パケットが経路に沿った種々のホップにおいて確実に抽出されるようにする。あるいは、各ホップにおける各ルータは、パケットを経路上の次のノードに送信する前に、そのパケットにルータ警告ラベルを載せることができる。ルータ警告ラベルは、次のノードにパケットを抽出させる。しかしながら、いずれの場合でも、パケットを受信する経路内の各ノードがパケットを次はどこに送信するかを確実に知っているようにするために、パケットは依然としてホップごとのＩＰアドレスをそのデータ部に含めることになろう。
【００３５】
本発明の実施形態は、経路に沿った各ノードがその電力コストを経路の先行部分の全体的な電力コストに追加するものとして説明されてきた。あるいは、各ノードは、パケットを次のホップに転送する自らの電力コストを個別に挿入することができる。このように、ＯＡＭ電力要求パケットのデータ部は、経路に沿った各ホップの電力コストを含む。送信元ノード１０は、対応するＯＡＭ電力返信パケットを受信したとき、各ホップの個別の電力コストを合算することによって経路の電力コストを決定する。これは、送信元ノード１０が経路の各部分の電力コストも格納し得るという点で、追加の情報を送信元ノード１０に提供している。
【００３６】
本発明の実施形態は、単に経路の電力コストを集める送信元ノードとして説明されてきた。代替または追加で、他の制約を有する経路の電力コストが決定されてもよい。たとえば、送信元ノード１０は、帯域幅をＯＡＭ電力要求パケットのデータ部の中に指定することができる。各ノードにおいて、受信されたＯＡＭ電力要求パケットのデータ部の中に指定されている帯域幅が判定され、指定された量のデータを経路の次のホップに沿って転送する電力コストが、ＯＡＭ電力要求パケットに格納されている。別の制約は１日のうちの時間帯であり得る。一般に、送信元ノード１０がＯＡＭ電力要求パケットを生成するときに制約を規定し、ＯＡＭ電力要求パケットに含めることができる限り、任意の制約を有する経路の電力コストがＯＡＭ電力要求パケットの使用によって決定され得る。
【００３７】
本発明の実施形態は、送信元ノードが、指定された経路に沿って宛先ノードにパケットを送信する電力コストを決定するものとして説明されてきた。本発明は、宛先ノードからの反対方向の経路の電力コストを決定するためにさらに使用され得る。これは、宛先ノードから内容をダウンロードすることに関連する有用な情報を提供でき、使用経路または電力コストが、アップロード方向（すなわち送信元ノード１０から宛先ノード１６への方向）のときにダウンロード方向（すなわち宛先ノード１６から送信元ノード１０への方向）とは異なる場合に、特に有益であることが判明し得る。前述の方法が使用されるが、反対方向になる。送信元ノードによって最初に入れられる宛先アドレスは宛先ノードのアドレスであり、パケットのパケットタイプは、反対方向の経路の電力コストが決定待ちであることを示すように設定される。このパケットタイプは、本明細書においてＯＡＭ電力下り要求と称される。各中間ノードは、このパケットを受信すると、そのパケットを宛先ノードに向けて転送するだけである。このパケットが辿る経路は、パケットの宛先アドレスが宛先ノードのものしかないので、ＩＰ転送が使用される場合など、反対方向の経路の電力コストが決定されようとしている同じ経路である必要はない。宛先ノードに到達したとき、宛先ノードはパケットタイプがＯＡＭ電力下り要求であると判定し、宛先ノードは、電力コスト決定要求に対する返信を示すようにパケットタイプを変更する。宛先ノードから送信元ノードに戻るように送信される返信パケットは、たとえば、パケットのデータ部の中に規定されている指定された経路を辿る。経路に沿った各ノードは、送信元ノードに戻るように経路に沿ってパケットを次のホップに転送する自身の電力コストを格納している。送信元ノード１０が、パケットが電力コスト決定要求に対する返信であることを示すパケットタイプのパケットを受信したとき、送信元ノードは、上で説明したように、宛先ノードから送信元ノードへの経路として規定される全体的な経路の電力コストを抽出し、決定する。
【００３８】
反対方向の経路の電力コスト決定が行われ得る実施形態において、ＯＡＭ電力要求パケットタイプとＯＡＭ電力下り要求パケットタイプの両方とも、経路の電力コストが決定待ちであることを示すパケットタイプの一般的なケースのうちの特定のケースとしてみなされ得ることが強調されるべきである。
【００３９】
示した実施形態は例示的なものにすぎず、上記の実施形態の改変は本発明の趣旨から逸脱することなくなされ得ることが当業者には理解されるであろう。本発明の範囲は添付の特許請求の範囲によってのみ規定される。
【図１】
2015524206.tif 000003
【図２】
2015524206.tif 000004
【図３】
2015524206.tif 000005
【図４】
2015524206.tif 000006
【国際調査報告】
2015524206.tif 000007
2015524206.tif 000008